(57)【特許請求の範囲】
【請求項１】
複数の画像が記録された記録媒体より所定数の画像を所定の解像度で読み取る第１の読み取り手段と、
前記第１の読み取り手段での読み取り情報を表示する表示手段と、
前記表示手段での表示を確認して処理対象とする画像を選択する選択手段と、
前記記録媒体より前記選択手段で選択された画像を高解像度で読み取り、選択されない画像部分は前記第１の読み取り手段の読み取り速度と同様の速度で走査を行なう第２の読み取り手段と、
前記第１の読み取り手段で読み取った低解像度画像のうちの前記選択手段で選択された画像と前記第２の読み取り手段で読み取られた高解像度画像とを処理対象画像として保持する画像保持手段とを備えることを特徴とする画像処理装置。
【請求項２】
記録媒体としての写真の焼付けられた印画紙から、画像を読み取る第１の読み取り手段と、
前記第１の読み取り手段による読み取りに続いて前記印画紙上の前記画像を前記第１の読み取り手段とは逆方向に、前記第１の読み取り手段での解像度よりも高い解像度で読み取る第２の読み取り手段と、
を備えることを特徴とする画像処理装置。
【請求項３】
前記第１の読み取り手段で読み取った画像情報を表示用の画像情報として用いるとともに、前記第２の読み取り手段で読み取った画像情報を印刷出力用の画像情報として用いることを特徴とする請求項１または２に記載の画像処理装置。
【請求項４】
前記第１の読み取り手段は前記記録媒体を順方向に搬送しつつ読み取りを行ない、第２の読み取り手段は前記記録媒体を逆方向に搬送しつつ読み取りを行なうことを特徴とする請求項１乃至３のいずれかに記載の画像処理装置。
【請求項５】
前記第１の読み取り手段による読み取り結果を表示する表示手段と、
前記表示手段での表示に基づき、前記記録媒体の読み取り時の搬送位置の調整指示を受け付ける受付手段と、
前記受付手段で受け付けた調整指示に応じて、前記記録媒体の読み取り時の搬送位置を調整する位置調整手段と、
をさらに備え、
前記位置調整手段による調整があった場合、前記第２読み取り手段は、読み取りを行わずに再び前記第１の読み取り手段による読み取りを実行することを特徴とする請求項１乃至４のいずれかに記載の画像処理装置。
【請求項６】
記録媒体をカメラによる撮影フィルムとすることを特徴とする請求項１に記載の画像処理装置。
【請求項７】
記録媒体を銀塩式のフイルムとすることを特徴とする請求項６記載の画像処理装置。
【請求項８】
記録媒体をアドバンスド・フォト・システム（ADVANCED PHOTO SYSTEM)フィルムとすることを特徴とする請求項６記載の画像処理装置。
【請求項９】
前記第１の読み取り手段はフイルムを列単位で読み取り、読み取り情報を回転処理して行単位で出力することを特徴とする請求項６乃至８のいずれかに記載の画像処理装置。
【請求項１０】
前記第２の読み取り手段は読み取り情報を圧縮処理して出力することを特徴とする請求項１から請求項９のいずれかに記載の画像処理装置。
【請求項１１】
複数の画像が記録された記録媒体上の所定数の画像を読み取る第１の読み取り工程と、
前記第１の読み取り工程による読み取り情報を表示して処理対象とする画像を選択する選択工程と、
選択された前記画像を前記第１の読み取り工程よりも高解像度で読み取り、選択されない画像部分は前記第１の読み取り工程の読み取り速度と同様の速度で走査を行なう第２の読み取り工程と、
前記第１の読み取り工程で読み取った低解像度画像の内の選択された画像と前記第２の読み取り工程で読み取られた高解像度画像とを処理対象画像として保持する保持工程と、
を含むことを特徴とする読み取り制御方法。
【請求項１２】
記録媒体としての写真の焼付けられた印画紙から、画像を読み取る第１の読み取り工程と、
前記第１の読み取り工程における読み取りに続いて、前記印画紙上の前記画像を、前記第１の読み取り工程とは逆方向に、前記第１の読み取り工程での解像度よりも高い解像度で読み取る第２の読み取り工程と、
を含むことを特徴とする読み取り制御方法。
【請求項１３】
前記第１の読み取り工程においては前記記録媒体を順方向に高速搬送しつつ読み取り、第２の読み取り工程においては前記記録媒体を逆方向に搬送しつつ読み取ることを特徴とする請求項１１または１２に記載の読み取り制御方法。
【請求項１４】
前記第１の読み取り工程による読み取り結果の表示に基づき、前記記録媒体の読み取り時の搬送位置の調整指示を受け付ける受付工程と、
前記受付工程で受け付けた調整指示に応じて、前記記録媒体の読み取り時の搬送位置を調整する位置調整工程と、
をさらに含み、
前記位置調整工程における位置調整があったときには前記第２の読み取り工程を行わずに再び前記第１の読み取り工程を実行することを特徴とする請求項１１乃至１３のいずれかに記載の読み取り制御方法。
【請求項１５】
記録媒体をカメラによる撮影フィルムとすることを特徴とする請求項１１記載の読み取り制御方法。
【請求項１６】
前記第１の読み取り工程ではフイルムを列単位で読み取り、読み取り情報を回転処理して行単位で出力することを特徴とする請求項１５記載の読み取り制御方法。
【請求項１７】
前記第２の読み取り工程は読み取り情報を圧縮処理して出力することを特徴とする請求項１１乃至１６のいずれかに記載の読み取り制御方法。
【発明の詳細な説明】
【０００１】
【発明の属する技術分野】
本発明は、画像情報処理装置及び読み取り制御方法に関するものである。
【０００２】
【従来の技術】
従来の画像処理装置において、処理すべき画像を読み取る画像読み取り装置の読み取り解像度は通常一種類であり、予め決まっているこの一種類の解像度で処理画像を読み取り、必要に応じて表示又は印刷処理を行っていた。
【０００３】
これは、通常印刷出力する解像度と表示出力する解像度とが異なっている場合が多いからである。
【０００４】
この際に、出力する解像度と読み込んだ解像度とが一致しない場合には、間引き／補間処理を行って出力解像度に合わせて出力していた。
【０００５】
【発明が解決しようとする課題】
しかし、この解像度変換は実際の出力時に行なうことがほとんどであり、出力時に行なう解像度変換は出力タイミングと同期してリアルタイムで行わなければならず負荷が大きかった。
【０００６】
更に、画像の読み取り装置によっては、実際の画像の読み取りに先立って、画像の濃度や読み取り対象の大きさ等を調べる目的でプリスキャンを行なうものもあったが、プリスキャン時に画像全体を読み取ることはしていなかった。
【０００７】
【課題を解決するための手段】
本発明は上述した課題を解決することを目的としてなされたもので、例えば、表示用に適した低解像度の画像データと印刷用に適した高解像度の画像データとを簡単な制御かつ迅速に得ることができる画像処理装置及び読み取り制御方法を提供することを目的とする。この目的を達成する一手段として例えば以下の構成を備える。
【０００８】
すなわち、記録媒体としての写真の焼付けられた印画紙から、画像を読み取る第１の読み取り手段と、前記第１の読み取り手段による読み取りに続いて前記印画紙上の前記画像を前記第１の読み取り手段とは逆方向に、前記第１の読み取り手段での解像度よりも高い解像度で読み取る第２の読み取り手段と、を備えることを特徴とする。
また、本発明にかかる他の画像処理装置は、複数の画像が記録された記録媒体より所定数の画像を所定の解像度で読み取る第１の読み取り手段と、前記第１の読み取り手段での読み取り情報を表示する表示手段と、前記表示手段での表示を確認して処理対象とする画像を選択する選択手段と、前記記録媒体より前記選択手段で選択された画像を高解像度で読み取り、選択されない画像部分は前記第１の読み取り手段の読み取り速度と同様の速度で読み取る第２の読み取り手段と、前記第１の読み取り手段で読み取った低解像度画像のうちの前記選択手段で選択された画像と前記第２の読み取り手段で読み取られた高解像度画像とを処理対象画像として保持する画像保持手段とを備えることを特徴とする。
【０００９】
そして例えば、前記第１の読み取り制御で読み取った画像情報を表示用の画像情報として用いるとともに、前記第２の読み取り制御で読み取った画像情報を印刷出力用の画像情報として用いることを特徴とする。あるいは、第１の読み取り制御を順方向への記録媒体搬送による読み取り制御とし、第２の読み取り制御を逆方向への記録媒体の搬送による読み取り制御とすることを特徴とする。
【００１０】
ここで、前記第１の読み取り手段による読み取り結果を表示する表示手段と、前記表示手段での表示に基づき、前記記録媒体の読み取り時の搬送位置の調整指示を受け付ける受付手段と、前記受付手段で受け付けた調整指示に応じて、前記記録媒体の読み取り時の搬送位置を調整する位置調整手段と、をさらに備え、前記位置調整手段による調整があった場合、前記第２読み取り手段は、読み取りを行わずに再び前記第１の読み取り手段による読み取りを実行することを特徴とする。
【００１１】
また、複数の画像が記録された記録媒体より所定数の画像を所定の解像度で読み取る第１の読み取り手段と、前記第１の読み取り手段での読み取り情報を表示する表示手段と、前記表示手段での表示を確認して処理対象とする画像を選択する選択手段と、前記記録媒体より前記選択手段で選択された画像を高解像度で読み取る第２の読み取り手段と、前記第１の読み取り手段で読み取った低解像度画像のうちの前記選択手段で選択された画像と前記第２の読み取り手段で読み取られた高解像度画像とを処理対象画像として保持する画像保持手段とを備えることを特徴とする。
【００１２】
そして例えば、前記第２の読み取り手段は、選択されない画像部分は前記第１の読み取り手段の読み取り速度と同様の速度で走査を行なうことを特徴とする。あるいは、前記低解像度画像を表示用の画像情報として用いるとともに、前記高解像度画像を印刷出力用の画像情報として用いることを特徴とする。
【００１３】
又例えば、第１の読み取り手段は順方向への記録媒体搬送による読み取り制御を行い、第２の読み取り手段は逆方向への記録媒体の搬送による読み取り制御を行なうことを特徴とする。あるいは、前記表示手段での表示を確認して前記記録媒体の読み取り時の搬送位置を調整する位置調整手段を備え、前記調整手段による調整があったときに前記第２の読み取り手段による読み取り制御を行わずに再び前記第１の読み取り手段による読み取り制御を実行することを特徴とする。
【００１４】
更に例えば、記録媒体をカメラによる撮影フィルム、銀塩式のフイルム、アドバンスド・フォト・システム（ＡＤＶＡＮＣＥＤ  ＰＨＯＴＯ  ＳＹＳＴＥＭ）フィルム、写真の焼付けられた印画紙のいずれかとすることを特徴とする。
【００１５】
又例えば、前記第１の読み取り手段はフイルムを列単位で読み取り、読み取り情報を回転処理して行単位で出力し、前記第２の読み取り手段は読み取り情報を圧縮処理して出力することを特徴とする。
【００１６】
【発明の実施の形態】
以下、本発明に係る一発明の実施の形態例を図面を参照して詳細に説明する。
【００１７】
図１は本発明に係る一発明の実施の形態例における画像処理システムのシステム構成を示す図であり、まず図１を参照して本発明の実施の形態例の概略を説明する。
【００１８】
図１において、１はネガまたはポジのカラー、モノクロのアナログ画像が記録された画像記録媒体より画像を読み取るスキャナ装置、１０００はスキャナ装置１、デジタル画像を入力する画像入力装置５０００よりの入力画像を処理して表示部１８００、プリンタ装置３０００に出力するサーバ装置であり、サーバ装置には最大５台のターミナル装置が通信媒体を介して接続可能である。
【００１９】
２０００はサーバ装置１０００に接続され、サーバ装置内に保存されている画像に対する画像処理を行いプリンタ装置３０００より印刷出力させるターミナル装置である。また、４０００は後述するプリンタ装置３０００への印刷出力時の出力フォーマットであるテンプレートデータを生成／変更するテンプレート制作装置、５０００はデジタル記録された画像記録媒体よりのデジタル画像を読み取る画像入力装置である。なお、このテンプレートは、アルバムの台紙に相当するものである。テンプレートには、全体に色がついていたり、背景に絵、柄が施されている。
【００２０】
サーバ装置１０００において、１１００は処理すべき画像情報を読み込んで保持する画像制御部、１２００は画像制御部１１００が保持する画像情報に各種の処理を施して画像制御部１１００、印刷制御部１５００等に出力する画像処理部、１３００はテンプレート制作装置４０００などで制作した各種のテンプレートを保持制御するテンプレート制御部である。
【００２１】
また、１４００は装置全体の制御を司る制御部、１５００はプリンタ装置３０００の制御を司る印刷制御部である。
【００２２】
画像制御部１１００は、スキャナ装置１よりの画像読み取りを制御し、読み取りアナログ画像を対応するデジタル画像に変換して出力するスキャナ制御部１１１０、スキャナ制御部１１１０よりの読み取り画像データ及び画像入力装置５０００よりのデジタル画像を入力する画像入力部１１２０、画像入力部１１２０で入力した画像を画像プール１１５０に格納すると共に画像プール１１５０に格納された画像の画像処理部１２００、表示部１８００との受渡を制御するイメージサブシステム１１３０、処理すべき画像データを保持する画像プール１１５０等により構成されている。
【００２３】
画像処理部１２００は、画像制御部より処理画像を受け取って画像の編集を行なう画像編集部１２１０、画像編集部１２１０で編集する画像に対する赤目除去等の各種補正処理を行なう画像補正部１２２０、処理画像に対して大伸ばし・パノラマ合成等の所定のサービス処理を行なうサービス処理部１２３０等により構成されている。
【００２４】
テンプレート制御部１３００は、テンプレート制作装置４０００等の外部装置を用いてデザイナー等が予め制作した各種のテンプレートをオンラインで直接あるいはＣＤＲＯＭ等の記録媒体を介して取込むと共に、取り込んだ各種テンプレートをテンプレート制作装置４０００等の外部装置に出力可能なテンプレート保持部１３１０、テンプレート保持部１３１０で保持した各種テンプレートと画像プール１１５０に格納された画像とを組み合わせる等してイメージサブシステム１１３０に出力する等のテンプレート関連の制御を司るブックサブシステム１３５０とが含まれている。
【００２５】
なお、このテンプレート保持部１３１０には、テンプレートとして、テンプレートの集合でブック形式のまとめたブック、背景などを形成する写真、任意に選択してクリップするクリップアート、フォトボーダー等が格納されている。
【００２６】
また、制御部１４００には、システム全体の制御を司るシステムマネージャ１４１０、サービス処理部１２３０及び画像入力部等を主に制御するサービスマネージャ１４２０、顧客よりの注文（オーダー）を管理するオーダーマネージャ１４３０、印刷制御部１５００のプリントキュー制御を司るプリントキューマネージャ１４５０、各ターミナル装置２０００とのログイン／ログアウトを含むターミナル装置との各種制御を管理するターミナルマネージャ１４８０が含まれている。
【００２７】
ターミナル装置２０００においては、サーバ装置１０００の、画像処理部１２００と同様構成の画像処理部２２００、イメージサブシステム１１３０と同様構成のイメージサブシステム２１３０、ブックサブシステム１３５０と同様のブックサブシステム２３５０を備えている。但し、ターミナル装置２０００は、画像プール１１５０、テンプレート保持部１３１０、印刷制御部１５００を有していないため、これらへのアクセスは直接サーバ装置１０００の画像プール１１５０、テンプレート保持部１３１０、印刷制御部１５００に対して行なう。
【００２８】
従って、サーバ装置２０００は、画像データとしては表示画像データのみを取扱い、印刷に関してはコード化された情報としてのパラメータのみ通信する。
【００２９】
なお、本発明の実施の形態例においては、処理画像としては、印刷出力用の高解像度の画像データ（Ｆｉｎｅ  ｉｍａｇｅ）と、表示出力用の低解像度の画像データ（Ｐｏｘｙ  ｉｍａｇｅ）の２種類の画像データを取り込んで画像プール１１５０に格納する。この結果、後述する画像の処理制御とあいまって表示と印刷出力との画質の差も最少とし、かつターミナル装置２０００とサーバ装置１０００との間の画像情報の通信量を少なく抑えている。なお、画像入力部１１２０では、低解像度データが後述するスキャナ装置１のＣＣＤセンサで列単位で読み込まれたデータである場合には画像プール１１５０への出力時に行単位で出力するように９０度の回転処理を行ってから出力しており、また、高解像度データはＪＰＥＧ圧縮して圧縮データを高解像度データとして画像プール１１５０に格納する。そして、画像プール１１５０よりの出力時にはＪＰＥＧ伸長してから各種の画像処理を行なう。これにより画像プール１１５０での専有容量を軽減している。
【００３０】
以上の構成を備える本発明の実施の形態例のスキャナ装置１の詳細構成を図２乃至図１８を参照して以下に説明する。
【００３１】
図２は本発明の実施形態例の外観斜視図であって、サーバ装置１０００を含むシステムの全体構成を示したものである。
【００３２】
本図において、スキャナ装置１は種々の使い方があるが、その代表的な使用方法について、図２のシステム全体構成図を参照して簡単に説明する。
【００３３】
このスキャナ装置１は、
（ａ）ネガまたはポジのカラー、モノクロのアナログ画像が記録された画像記録媒体の主走査と副走査を行いつつ、
（ｂ）内蔵の高解像度のラインイメージセンサを含む光電変換によりアナログ画像のアナログ・デジタル光電変換を行い、
（ｃ）この光電変換で得られたデジタル信号をＳＣＳＩ等のインターフェースケーブルを介してサーバ装置１０００のスキャナ制御部１１１０に送信して画像プール１１５０に格納する処理を行なう。
【００３４】
以上のような基本的な使用形態があり、このスキャナ装置１が取り扱い可能なアナログ画像を有する画像記録媒体の形式は大別して以下の４種類である。
【００３５】
先ず、第１の画像記録媒体として、今現在広く普及している銀塩式カメラに使用されるネガ及びボジフィルムフィルム（Ｆ）がある。このフイルム、例えば３６枚撮りの現像済みの１３５フィルムは、６駒分に分けて同じ長さに切断し、ネガシートケースに収納されてからユーザに渡される。
【００３６】
尚、スキャナ装置１は、現像済みの切断前の連続した３６枚撮り１３５フィルムについても、少なくとも機構上は取り扱えるように配慮されている。
【００３７】
一方、第２の画像記録媒体としては、主にプロジェクターで使用可能にするために、現像済みのボジ（リバーシブル）フィルムを１駒毎に切断し、スライドマウンターに収納されたスライドマウンター入りフィルム（ＭＦ）がある。
【００３８】
また、第３の画像記録媒体として、カラーまたはモロクロの銀塩写真の焼き付けられた印画紙及び各種印刷物であって表面にアナログ画像を記録した反射読取される反射原稿Ｇがあり、例えばパノラマ写真を長手方向に矢印方向に挿入して読取りを行うようにした原稿Ｇがある。
【００３９】
そして、第４の画像記録媒体として、新規格フィルムであるＡＰＳ（ＡＤＶＡＮＣＥＤ  ＰＨＯＴＯ  ＳＹＳＴＥＭ）フィルム（ＣＦ）がある。このＡＰＳフィルムＣＦは、周知のものであるが、簡単に説明すると例えば３６枚撮りのフィルムを内蔵スプールに巻いておき、外光を遮断したケース内に収納し、カメラ撮影後にラボショップにおいて現像依頼処理後に、再びケース内にフィルムを捲回状態で収納し、撮影駒を全てインデックス番号とともにプリントした所謂インデックスプリントとともにユーザに提供するものである。したがって、所望の写真を得るためには所望の駒写真のインデックス番号をユーザが指定する。
【００４０】
以上説明の第１から第４の画像記録媒体について、このスキャナ装置１は全て取り扱い可能である。以下に夫々の画像記録媒体の操作手順について図２を参照して、概略説明する。
【００４１】
先ず、第１の画像記録媒体である１３５フィルムを含むフィルムＦを取り扱うためには、連続フィルムユニット１００を使用する。この連続フィルムユニット１００は、スキャナ装置１に対して自動的に装填可能に構成されている。
【００４２】
このために、ユニット１００はスキャナ装置１の前面部１ａにおいて図示のように左右に開口するように設けられた破線図示の右開口部１３から矢印方向に挿入可能に設けられており、装置１の右開口部１３の近傍に配設されたセンサｋ３であって、フィルムの上下端部に形成されているバーコード読取りの検出を兼ねる光学式センサにより連続フィルムユニット１００の有り状態が検出されると、この検出結果を受けて内蔵の後述する第２モータｍ２の自動起動が行われて、実線で示される左開口部１４にユニット１００の挿入端が位置するまで搬送され、左開口部１４において自動停止するように構成されている。
【００４３】
この連続フィルムユニット１００を装置１に装填した後に、例えば６駒分が連続するネガまたはポジフィルムＦを図中の矢印方向にユニット１００に対して手動でセットすることにより、まず詳細を後述するフィルムＦの第１のスキャンが行なわれ、フィルムＦを正方向に搬送してアナログ画像が記録された画像記録媒体の主走査と副走査を行いつつ、内蔵された高解像度のラインイメージセンサを含む光電変換により低解像度でのアナログ画像の読み取りを行い、その後フイルムを巻き戻して同様の手順で高解像度での画像読み取が行われる。したがって、この連続フィルムユニット１００は必要不可欠のものである。
【００４４】
また、第２の画像記録媒体であるスライドマウンターに収納されたスライドマウンター入りフィルムＭＦを取り扱うためには、スライドフィルムユニット２００を上記の連続フィルムユニット１００を装置１から取り外した後か、または新規に使用する。
【００４５】
このスライドフィルムユニット２００は、６個分のスライドマウンター入りフィルムＭＦを上部の開口部からセットして所定位置に夫々留まるように収納可能に構成されており、その全長は現像済みの６駒分の連続フィルムＦよりやや長く、またスライドフィルムユニット２００の前後方向の幅寸法は約５ｍｍに設定されている。
【００４６】
一方で、上記の連続するフィルムＦの幅寸法は０．１５ｍｍ前後であるために、後述する搬送のための機能が双方に必要となる。
【００４７】
このスライドフィルムユニット２００も、上記の連続フィルムユニット１００と同様に、スキャナ装置１に対して自動的に装填可能であり、このためにスキャナ装置１の前面部１ａにおいて図示のように左右に開口するように設けられた破線図示の右開口部１３から矢印方向に挿入可能に設けられており、装置１の右開口部１３の近傍に配設された光学式センサによりスライドフィルムユニット２００有りの状態が検出されると、この検出結果を受けて内蔵のモータの自動起動が行われる。
【００４８】
この結果、図中の実線で示される左開口部１４を介してスライドユニット２００が適宜図中の左側に搬送されるようにして、例えば６個分のスライドマウンター入りのマウントフィルムＭＦのスキャンが行なわれ、マウントフィルムＭＦを正方向に搬送してプリスキャンを行い、副走査を行なって上記の（ｂ）内蔵の高解像度のラインイメージセンサを含む光電変換によりアナログ画像の低解像度での読み取り及び光電変換を行なう。その後逆方向に搬送してメインスキャンを行い、副走査を行うようにして、上記の（ｂ）内蔵のラインイメージセンサを含む光電変換によりアナログ画像の高解像度での読み取り及び光電変換を行なう。
【００４９】
尚、連続フィルムユニット１００に装填されて搬送されるフィルムＦの乳剤面上に形成されている画像と、スライドユニット２００にセットされるマウントフィルムＭＦの乳剤面上に形成されている画像は、後述するラインイメージセンサ上の画像読取り面からの距離が夫々異なるので、集光レンズには自動焦点機構が備わっている。このために、フィルムＦとマウントフィルムＭＦの夫々を表裏逆にセットした場合でも、画像に対する正確な合焦が可能となる。この場合には、画像入力部１１２０で読み込み画像を反転処理して正常画像に戻してからイメージサブシステム１１３０に送り、その後画像プール１１５０に格納されることになる。
【００５０】
また、第３の画像記録媒体である反射読取原稿Ｇには、例えばパノラマ写真等のようにかなり横長のものがある。このような原稿Ｇ及び通常の所謂サービス版サイズの原稿Ｇは、図示のように装置１の前面１ａの下方部位に配設された原稿挿入排出口８を介して矢印方向に挿入することで、自動吸引されて原稿の読取りを行うように構成されている。そして、読み取り動作後に同じ原稿挿入排出口８から外部に排出される。
【００５１】
したがって、装置１の前後方向に沿う外形寸法はパノラマ写真の長手方向に沿う寸法を配慮して決定されることになる。この原稿挿入排出口８には原稿Ｇを幅方向に規制する原稿幅調整板９であって、周知のように一方または双方を手動で移動することで中心位置から離れるか遠くなる機構を備えた原稿幅調整板９が設けられている。
【００５２】
そして、第４の画像記録媒体であるＡＰＳフィルムＣＦは、図中の破線で図示されるように装置１の前面１ａの左開口部１４に隣接して配設されるＡＰＳフィルム用の装着部１１に対して矢印方向にセットされる。このために、装置１には装着部１１を前方に移動可能にするための開口部１１が設けられており、後述のように前方に移動した後に、装着部１１の上面において形成された装着穴部１２を介してＡＰＳフィルムＣＦのカートリッジを収納可能に構成されている。
【００５３】
次に、装置１の前面１ａの右角の上方部位であって、上記の各ユニット１００、２００を装填したときに邪魔にならない部位には、装置１のオンオフ状態を表示するパワーオンオフ用の表示器７であって、装置１の背面１ｄまたは側面１ｂ，１ｃに配設された主電源スイッチのオン状態に応じて常時点灯する発光ダイオード等からなる表示器７が設けられている。
【００５４】
また、上記の左右開口部１３、１４間の前面１ａには、左側から順番にＡＰＳフィルムの動作状況を表示する表示器１５と、１３５フィルムを含む通常のフィルムＦとマウントフィルムＭＦの動作状況を表示する表示器１６と、原稿Ｇの動作状況を表示する表示器１７とが夫々配設されており、各使用モードにおける待機状態をグリーンの常時点灯で表示し、正常動作をグリーン点滅で表示し、ジャミング発生等の動作不備等の異常状態をレッドで点滅表示するように構成されている。
【００５５】
これら表示器１５、１６、１７の下方部位には上記のＡＰＳフィルムＣＦの装着部１１を開口部１１から装置１の前方に移動するために押圧されるイジェクトスイッチ６が配設されている。
【００５６】
図３は、スキャナ装置１の外観斜視図であって、原稿読取りを終了し、エジェクトスイッチ６を押圧した後の様子を示したものである。
【００５７】
本図において、既に説明済みの構成には同一符号を付して説明を割愛し、未説明部分に限定して述べると、エジェクトスイッチ６が押圧されると、後述の装着部移動機構が起動し、ＡＰＳフィルムＣＦの装着部１１が装置１の前面の開口部１１を介して矢印Ｄ１方向の前方に移動され、左開口部１４を塞ぐようにする。したがって、この状態では少なくとも視覚的には他の媒体を受け付けないようにできることになる。
【００５８】
この図示の状態では、装置１の開口部１０を光学的に完全に遮断するように設けられた蓋体１９が矢印方向に回動され、装着部１１の装着穴部１２に対して、ＡＰＳフィルムＣＦのフィルム取出し口ＣＦａが装置側に向かうようにして装着できるようになる。これは、ＡＰＳフィルム仕様のカメラのフィルム装填に似ているので、間違いなく操作できる。
【００５９】
このようにして装着穴部１２内にセットされると装着部１１に内蔵のマイクロスイッチによりＡＰＳフィルムＣＦ有りが検出されて、この検出により装着部移動機構が動作して、装着部１１を矢印Ｄ２方向に移動し、同時に蓋体１９が閉じられる。
【００６０】
図示の幅寸法Ｗと奥行き寸法Ｙと高さ寸法Ｈとから規定される装置１の外径寸法は、例えばＡ４サイズの原稿用のフラットベッド式のスキャナ装置を載置した状態で仕様することを配慮している。このために、フラットベッド式のスキャナ装置を載置した状態で用いるときに、上記の各媒体の夫々の装填操作を装置１の前面１ａ側から全て行えるようにしている。また、積載したときに全体の高さ寸法Ｈが小さくなるように配慮されている。
【００６１】
換言すると、後述する各搬送系と光学系は、このような事情から設定されている。
【００６２】
尚、本発明の実施形態例によれば、大半を占める右利きの人を対象にしている関係上、右側から各ユニットを装着するようにしているが、左利きの人用に適宜設定可能であることは言うまでもない。
【００６３】
続いて、図４（ａ）は連続フィルムユニット１００を装置１に装着した状態を示した外観斜視図、図４（ｂ）はスライドフィルムユニット２００を装置１に装着した状態を示す外観斜視図である。
【００６４】
先ず、図４（ａ）において連続フィルムユニット１００が装置１の破線図示の右開口部１３を介して装着されて所定位置に自動的に移動されると、図示のような状態になる。そこで、オペレータは１３５フィルムを含む所定のフィルムＦを図示のように画像面を直に手で触れないように把持して、連続フィルムユニット１００の挿入部にセットする。すると、フィルムＦは左開口部１４から正逆方向（矢印Ｄ方向）に搬送されつつ副走査が行われる。
【００６５】
また、図４（ｂ）において最大で６個分のマウントフィルムＭＦが予めセットされたスライドフィルムユニット２００が装置１の破線図示の右開口部１３を介してに装着されると、図示のような状態になり、左開口部１４から一部が出るように正逆方向（矢印Ｄ方向）に搬送が行われることで副走査が行われる。
【００６６】
以上のように構成することで、これらの状態では少なくとも視覚的には新規にＡＰＳフィルムＣＦを扱うことはできないようにできる効果がある。
【００６７】
図５は、装置１の機構を示す外観斜視図であって、図２で既に説明済みの構成には同一符号を付して説明を割愛して述べる。
【００６８】
先ず、破線で示す原稿Ｇの読取り部２０の構成は以下のようである。ステッピングモータなどからなる第１モータｍ１から動力を得るように構成されるとともに、原稿面に直に触れる左右の弾性部２１ａにおいてウレタン系のラバーを使用し、軸体２１ｂに対して弾性部２１ａを夫々固定したドライブローラ２１と、このドライブローラ２１に対して所定圧力で常時当接するとともにドライブローラ２１の回動動作に追従して回動するアイドラー２２とからなる一対のローラ対が設けられており、下流側において同様のローラ対をさらに配設して２セット分配を不図示の基部に配設している。
【００６９】
これらのローラ対の間には、低い温度で高輝度を得ることができる２本の冷陰極管２３が基部（不図示）に対して固定されており、原稿Ｇの原稿面を照射するように構成されている。
【００７０】
２本の冷陰極管２３の上方部位には、原稿Ｇの幅方向分の反射面２４ａを備えた反射ミラー２４が基部（不図示）に対して図示のように原稿面に対して４５度の傾きで固定されており、２本の冷陰極管２３で挟まれる原稿面からの光軸Ｌ１を集光レンズ２５に指向するように構成されており、基部に固定される所定解像度のラインイメージＣＣＤ部２６において集光するようにして、原稿面の主走査を行うように構成されている。
【００７１】
尚、これらは不図示の暗箱に収納されており、外光を遮断している。また、原稿Ｇの搬送状態は図示の位置に配設される発光受光ダイオードからなる光学式のセンサＫ１とセンサＫ２で常時モニターされており、原稿の有無と、読み取り動作の終了を検出可能にしている。
【００７２】
次に、一般の１３５フィルムＦの読取り部３０の構成は以下のとおりである。不図示の基部にはステッピングモータのように正逆方向に回転駆動可能であって、かつ設定された駆動パルス数に応じて駆動される第２モータｍ２が固定されており、この第２モータｍ２に対して図中の実線で示した動力伝達機構を介して、図示のように合計で４個の第１ドライブローラ３２を正逆可能に回動するように構成されている。
【００７３】
各第１ドライブローラ３２は、フィルムＦの各駒の上下部位のバーコード記録面に対して直に触れる位置にウレタン系のラバーを使用した弾性部３２ａを上下に一対分軸体３２ｂに設けている。
【００７４】
また、このように設けられる第１ドライブローラ３２の夫々に対向する位置にはアイドルローラ３３が回動自由かつ付勢状態にされて上記のスライドフィルムユニット２００の幅である約５ｍｍより少ない間隙を維持するようにして、基部３１で回動自在に配設されている。
【００７５】
一方、中央に位置する第１ドライブローラ３２の間には冷陰極管３４が設けられており、フィルムＦの画像を集光レンズ４４に指向するようにして、基部に固定される所定解像度のラインイメージＣＣＤ部４６において集光するようにして、フィルムＦとマウントフィルムＭＦの主走査と副走査を行うように構成されている。尚、これらは後述する暗箱に収納されており、外光が遮断されている。
【００７６】
また、集光レンズ４４と冷陰極管３４とを結ぶ図中の一点鎖線図示の光軸Ｌ３の間には、反射ミラー４８を設けた光路変換機構４０が第４モータｍ４により、略４５度分回動するように設けられており、実線図示の位置と破線図示の位置に回動するようにして、光軸３を遮る状態と光軸Ｌ３が集光レンズ４４に指向する状態とにするように構成されている。
【００７７】
さらに、この光路変換機構４０と集光レンズ４４の間には、複数のフィルター４２を備えたフィルター変換機構４１が第５モータｍ５により回動されるように設けられており、フィルムＦのネガ、ポジ及び各種規格のフィルムのオレンジベースに応じて、適宜最適なフィルター４２が光軸Ｌ３の間に介在するように構成されている。
【００７８】
次に、第４の画像記録媒体であるＡＰＳフィルムＣＦの読取り部は以下のように構成されている。
【００７９】
ＡＰＳフィルムＣＦを装着する上記の装着部１１の装着穴部１２の底面には、マイクロスイッチからなるセンサＫ４が配設されている。また装着穴部１２の底面には破線図示のダボ部材６１であって、ＡＰＳフィルムＣＦのフィルム巻取りスプールに係合するように構成されている部材が回動自在に設けられており、実線図示の位置において、第７モータｍ７に対して不図示の遊星歯車機構を介してこのダボ部材６１が噛合するように構成されている。
【００８０】
また、装着部１１にはラック６２が図示のように延設されており、このラック６２に対して常時噛合するピニオン６３を出力軸に設けた第８モータｍ８の正逆方向の駆動にともない装着部１１を上記の装置１の開口部１０を介して図中の実線図示と破線図示の位置に駆動するように構成されている。
【００８１】
この装着部１１に装着した状態において、ＡＰＳフィルムＣＦのフィルム取出し口ＣＦａの下流側には冷陰極管６４が配設されており、これと上記の光路変換機構４０を結ぶ光軸Ｌ２（一点鎖線図示）は光路変換機構４０が略４５度分回動されて破線図示の位置に回動した状態で、上記の集光レンズ４４に指向するようにして、所定解像度のラインイメージＣＣＤ部４６を上記のフィルムＦ、ＭＦ用と共有するように構成されている。
【００８２】
この冷陰極管６４のさらに下流側には、ウレタンラバー系の弾性円筒部材を駆動部に有するキャプスタンローラ６８が第９モータ９から動力を直接得るように設けられており、このキャプスタンローラ６８に対向するようにして当接状態で設けられているアイドルローラ６７との間でＡＰＳフィルムＣＦのフィルム取出し口ＣＦａから上記の第７モータｍ７の駆動で送りだされるＡＰＳフィルムＣＦを挟持して一定速度で冷陰極管６４を通過するようにして主走査と副走査を行う読取り動作を行うように構成されている。
【００８３】
これらキャプスタンローラ６８とアイドルＲーラ６７のさらに下流側には上記の第９モータｍ９からクラッチ６５を介して動力を得るようにした巻取りスプール６６が配設されており、読取り後のＡＰＳフィルムＣＦを一旦この巻取りスプール６６で全て巻き取るようにしている。
【００８４】
以上の読取り動作終了後に、第９モータｍ９への通電をカットし、モータのデイテンドトルクによるフリー状態を維持するようにして適度なバックテンションをＡＰＳフィルムＣＦに発生しつつ第７モータｍ７の駆動によりＡＰＳフィルムＣＦのケース内のスプールをダボ部材６１により回動して、全て収納する。その後、開口部１０から外部に排出する。
【００８５】
このように、カートリッジに収納されたスプールで巻き取る構成のＡＰＳフィルムＣＦにおいて、上記のようにフィルム取出し方向に沿うように装着部１１を移動することにより、フィルムのジャミング発生時において、フィルムへの損傷を最少限度にすることができるようになる。
【００８６】
具体的には、図２に示す表示器１５がレッドになると、中断し、スキャナ装置１の天板を明け、上方からフィルムをケース内に送り込むようにできる。
【００８７】
図６は、図５の各読取り部の動作説明図である。本図において、既に説明済みの構成には同一符号を付して説明を割愛する。
【００８８】
先ず、原稿Ｇが読取り部２０に挿入されると、センサＫ１で原稿先端が検知され第１モータｍ１が起動してドライブローラ２１が反時計廻りに回転され、原稿を２本の冷陰極管２３に走向させ、原稿Ｇの幅方向分の反射面２４ａを備えた反射ミラー２４で光軸Ｌ１を集光レンズ２５に指向するようにしてＣＣＤ２６にて読取りを行う。このときドライブローラ２１は、原稿面に直に触れる位置にウレタン系のラバーであってシリコンラバーとの比較において粘着力の弱い材質を使用しているので常に清潔な状態を維持することができるので、ユーザーの大切な原稿の汚れを防止できる。この読取りが終了すると、第１モータ１が逆駆動されて排出される。
【００８９】
次に、一般のフィルムＦは連続フィルムユニット１００にセットされ、またマウントフィルムＭＦはスライドフィルムユニット２００にセットされた後に、センサＫ３により装着開始が検出されると、第２モータｍ２が起動され４個の第１ドライブローラ３２を回動し、所定の読取り動作を行う。
【００９０】
このとき、各第１ドライブローラ３２は、フィルムＦの各駒の上下部位のバーコード記録面に対して直に触れる位置にウレタン系のラバーを使用した弾性部３２ａを上下に一対分軸体３２ｂに設けているので汚れを防止できる。
【００９１】
次に、第４の画像記録媒体であるＡＰＳフィルムＣＦの読取り動作は、装着部１１が第８モータ８の動作で実線図示の位置に移動されると、第７モータ７が起動されて、ＡＰＳフィルムＣＦのフィルム取出し口ＣＦａの下流側の冷陰極管６４を通過しキャプスタンローラ６８とアイドルローラ６７との間にＡＰＳフィルムＣＦのフィルムを送る。続いて、第９モータｍ９が起動されて、キャプスタンローラ６８とアイドルローラ６７を駆動し、巻取りスプール６６で全て巻き取りつつ読取りを行う。以上の読取り動作終了後に、第９モータｍ９への通電をカットし、モータのデイテンドトルクによるフリー状態を維持するようにして適度なバックテンションをＡＰＳフィルムＣＦに発生しつつ第７モータｍ７の駆動によりＡＰＳフィルムＣＦのケース内のスプールをダボ部材６１により回動して、全て収納する。その後、開口部１０から外部に排出する。
【００９２】
次に、上述したようにスライドフィルムユニット２００は、６個分のスライドマウンター入りフィルムＭＦを上部の開口部からセットして所定位置に留まるように収納可能に構成されており、その全長は現像済みの６駒分の連続フィルムＦよりやや長く、またスライドフィルムユニット２００の前後方向の幅寸法は約５ｍｍであり、連続フィルムＦの幅寸法は０．１５ｍｍ前後であるために、ドライブローラ３２とアイドルローラ３３の空間は５ｍｍ以上にする必要があり、なおかつ各ユニット１００、２００の双方を使用可能にする機構につき、図７の要部断面図と図８の要部断面図を参照して述べる。尚、既に説明済みの構成には同一符号を付して説明を割愛する。
【００９３】
先ず、図７において集光レンズ４４には鏡胴内にレンズ４５が内蔵されており、ＣＣＤ４６に光軸Ｌ２、Ｌ３を集光するように構成されており、この鏡胴にはさらにネジ孔部材４７が固定されている。このネジ孔部材４７は図示しない基部に固定されている第６モータ６の出力軸に固定されているウオームネジ４３に螺合している。以上の構成により自動焦点機構を設けている。また、暗箱３６には光軸Ｌ２を導入する開口が図示の位置に形成されている。
【００９４】
また、暗箱３６には連続フィルムユニット１００をセットした時に後述のように不動状態にするための係合用の凹部５０が形成されている。各アイドルローラ３３はバネ５１によりドライブローラ３２側に移動する付勢状態で設けられており、図示のように連続フィルムユニット１００が装填された状態では、フリーローラ５２に対して当接して回動するように構成されている。
【００９５】
一方、センサＫ３、Ｋ５、Ｋ６、Ｋ７は図示の位置に配設されており、各動作状態をモニターするようにしている。また、中央部位には陰極管３４に対向するアパチャー３８が設けられている。
【００９６】
次に、図８においてスライドフィルムユニット２００が装着され、矢印Ｄ方向に搬送される様子が示されており、この場合にはアイドルローラ３３とドライブローラ３２の間で挟持されつつ搬送されることになる。即ち、ユニット２００の幅寸法ｔは約５ｍｍであるので、そのまま搬送することができるようになる。
【００９７】
連続フィルムユニット１００の構成につき、図９の正面図と、図１０の要部断面図に基づき説明する。
【００９８】
図９において連続フィルムユニット１００は、やや突起したフィルム走向面５６を有する基部５５と陰極管からの光源を通過するアパチャー７４とを形成するとともに、上記のフリーローラ５２を合計で８個回動自在に内装している。また、フリーローラ５３も回動自在に内装している。
【００９９】
次に、図１１をさらに参照して、基部５５にはレバー５８が左右方向に移動可能で、かつ板７７を一体的にするように設けられている。この板７７の端部７７ａはピン７８廻りに回動自在かつトーションバネ７９で反時計廻りに付勢された部材８０の作用端８０ａに作用しており、ユニット１００を図２の右開口部１３側から挿入し、所定の装填位置に移動されると部材８０が凹部５０に図１０に図示のように落下係合するように構成されている。
【０１００】
この係合状態を解除するためには、レバー５８を右方向に移動するように操作して、部材８０を凹部５０から外部に出すようにすることで解除することができる。
【０１０１】
図１２はドライブローラ３２とアイドルローラ３３の構成を説明する平面図であり、図１３は図１２のＡ‐Ａ矢視図、図１４は図１２のＢ‐Ｂ矢視図である。図１２、図１４において、ドライブローラ３２は基部９０において夫々回動自在に軸支されており軸端にギア９４を夫々固定している。また、弾性体の部分３２ａは基部９０に夫々穿設されている窓部から外部に出るようにして、各ユニット１００、２００を案内する突起部９１に窓部が連続するようにして、各ユニットの外面にして接触するようにして搬送力を伝達可能にしている。
【０１０２】
一方、図１３において、上記のアイドルローラ３３は基部７０の窓部７１から一部が外部に出るようにしている。
【０１０３】
また、図１５は装置１の内部から外側に見た正面図であって、各アイドルローラ３３にはバネ５１が図示のように作用しており、スライドフィルムユニット２００の走向面に対して各アイドルローラ３３が当接する位置に設けられている。また、図１６と図１７は上記の連続フィルムユニット１００の装着後に、起動された様子を示しており、本図において、フィルムＦの送り用のスプロケットホールの位置であってバーコードＢＣの形成部分に対して各ドライブローラの弾性部３２ａが位置するように構成されている。
【０１０４】
また、センサＫ３は図１７に図示のように上下のバーコードＢＣを読取り可能となる上下に夫々センサＫ３−１、センサＫ３−２として配設されており、天地を逆転してユニット１００にセットされた場合であっても、フィルムＦの上下を検出可能にしている。
【０１０５】
図１８（ａ）から（ｅ）はフィルムＦの走向状態を示す動作説明図であって、（ａ）と（ｂ）において、フィルムＦの予備予備走査が行われて、最初の駒の略中央部位の縦方向の１ライン分の走査が実行されて、このデータからコントラストの最大値と最少値を読取り、上記の自動焦点機構及びフィルターの交換を動作して、集光レンズの合焦と所望のフィルターのセッテングを行い、（ｃ）において一度逆方向に戻して、予備走査に備え、（ｄ）において全てを送り、（ｅ）において逆方向に搬送しつつ本走査を行う。
【０１０６】
［制御回路の構成］
次に、上述したスキャナ装置１の制御回路について説明する。図１９はスキャナ装置の制御回路の構成を示すブロック図である。
【０１０７】
図１９において、ＣＰＵ３２３はスキャナ装置全体の制御を司るコントローラである。インタフェース（Ｉ／Ｆ）回路３２２は、Ｉ／Ｆケーブルにより接続されたサーバ装置１０００のスキャナ制御部１１１０との間で画像データや各種制御データを送受信可能としている。ＲＯＭ３２０は、ＣＰＵ３２３が実行する制御プログラムを格納するプログラムメモリ、ＲＡＭ３２１は各種データ（各種制御データや画像データ等）を保存しておくダイナミック型のメモリである。
【０１０８】
図５にも示すように、エジェクトスイッチ６は、装着部１１の開閉スイッチと他のフィルム又は原稿の強制排出スイッチを兼ねており、そのオン／オフ信号はＣＰＵ３２３に出力される。第２モータ駆動回路３００は、ＣＰＵ３２３の制御データに基づいて１３５フィルムＦを走査するための第２モータｍ２を制御する。第７モータ駆動回路３０１は、ＣＰＵ３２３の制御データに基づいてＡＰＳフィルムＣＦをケース内部に収納するための第７モータｍ７を制御する。第９モータ駆動回路３０２は、ＣＰＵ３２３の制御データに基づいてＡＰＳフィルムＣＦをケース内部から送り出して走査するための第９モータｍ９を制御する。第１モータ駆動回路３０３は、ＣＰＵ３２３の制御データに基づいて原稿Ｇを走査するための第１モータｍ１を制御する。第８モータ駆動回路３０４は、ＣＰＵ３２３の制御データに基づいて装着部１１を出し入れするための第８モータｍ８を制御する。
【０１０９】
バーコード兼用センサ入力回路３０５は、バーコード兼用センサＫ３の検知信号をＣＰＵ３２３に出力する。ＣＦ有無センサ入力回路３０６は、ＣＦ有無センサＫ４の検知信号をＣＰＵ３２３に出力する。原稿入口センサ入力回路３０７は、原稿入口センサＫ１の検知信号をＣＰＵ３２３に出力する。連続フィルムユニットセンサ入力回路３０８は、１３５フィルムの送りを検知するポジションセンサＫ６、Ｋ７の検知信号をＣＰＵ３２３に出力する。原稿有無センサ入力回路３０９は、原稿有無センサＫ２の検知信号をＣＰＵ３２３に出力する。エンドセンサ入力回路３１０は、連続フィルムユニット１００の装着時の端部を検知するエンドセンサＫ５の検知信号をＣＰＵ３２３に出力する。
【０１１０】
１３５フィルム照明駆動回路３１１は、ＣＰＵ３２３の制御データに基づいて１３５フィルムＦに光を照射する冷陰極管３４を点灯制御する。ＡＰＳフィルム照明駆動回路３１２は、ＣＰＵ３２３の制御データに基づいてＡＰＳフィルムＣＦに光を照射する冷陰極管６４を点灯制御する。原稿照明駆動回路３１３は、ＣＰＵ３２３の制御データに基づいて原稿Ｇに光を照射する冷陰極管２３を点灯制御する。
【０１１１】
１３５／ＡＰＳフィルム撮像回路３１４は、ＣＰＵ３２３の制御データに基づいて１３５フィルム画像及びＡＰＳフィルム画像を電気信号に変換して撮像するラインイメージＣＣＤ４６を駆動制御する。原稿撮像回路３１５は、ＣＰＵ３２３の制御データに基づいて原稿画像を電気信号に変換して撮像するラインイメージＣＣＤ２６を駆動制御する。ＡＦ（オートフォーカス）駆動回路３１６は、ＣＰＵ３２３の制御データに基づいて鏡筒４４を駆動して集光レンズ４５のフォーカスを自動調整するための第６モータｍ６を駆動制御する。反射ミラー駆動回路３１７は、ＣＰＵ３２３の制御データに基づいて反射ミラー４８を駆動するための第４モータｍ４を駆動制御する。フィルタ駆動回路３１８は、ＣＰＵ３２３の制御データに基づいてフィルタ４１を駆動するための第５モータｍ５を駆動制御する。
【０１１２】
表示器駆動回路３１９は、ＣＰＵ３２３の制御データに基づいてＡＰＳ表示器１５、フィルム表示器１６、原稿表示器１７を点灯或いは点滅する。
【０１１３】
なお、以上の各モータは反転制御が可能であり、フィルムを逆方向に搬送することも可能であり、例えば逆転方向への搬送中に画像を読み込むことも可能である。例えば正方向搬送でプリスキャンを行い、逆方向搬送でメインスキャンを行ってもよい。
【０１１４】
［スキャナ装置による読み取り制御の説明］
次に、以上の構成を備える本発明の実施形態のスキャナ装置のサーバ装置１０００よりの読み取り制御について図２０のフローチャートを参照して説明する。図２０はスキャナ装置１よりの画像入力制御を示すフローチャートである。なお、以下の説明は１３５フィルムの読み取り制御を例に行なう。
【０１１５】
画像の入力を行おうとする場合には、表示部１８００の表示画面をメニュー画面より画像入力画面に移行させ、必要に応じて画像入力画面より入力操作画面（ダイアログ）に移行させて行なう。そして、入力された画像を編集する場合には編集画面で編集を行なうことになる。このため、ステップＳ１で画像入力画面で入力ソースとしてスキャナ装置１を選択し、続いて表示されるイメージソースの選択アイコン（上述した読み取り可能なソースを表すアイコン）のうち所望のソースアイコンを選択する。この例では１３５フィルムアイコンを選択することになる。
【０１１６】
１３５フィルムアイコンを選択した場合の入力操作画面の例を図２１に示す。図１において、左上部は入力ウインドウであり、現在スキャン中のフィルムストリップの状態を表示するウインドウである。右下は画像ウインドウであり、１つのフィルムストリップのスキャンが終了するたびに読み込めれた画像がこのウインドウに順次入力順に追加表示されていく。なお、このウインドウの画像に対して後述するパノラマコマ指定、反転等の指定が可能である。
【０１１７】
また、右上のウインドウは設定ウインドウであり、プリスキャン前に設定を行なう。右側中央が動作ボタンである。
【０１１８】
スキャナの操作者は、ステップＳ２で読み込み開始までに読み込み対象であるフィルムのチェックを行い、読み込みができない、あるいは、読み込んでも希望する画像とならないような場合には読み込み処理をやめ、読み込み対象を持参したユーザとの相談等を行なう。
【０１１９】
メディアのチェックで読み込みが可能であると判断した場合にはフイルムの上述した読み取り部にセットする。そして続くステップＳ３で図２１に示す設定ウインドウより、読み込むのがカラーかモノクロか、あるいは、フイルムがネガフィルムかポジフイルムかの設定、及び必要に応じて読み取り加増度の指定を行なう。なお、実際にはこの解像度設定は自動的に行われ、操作する必要は無いように制御されている。
【０１２０】
続いてステップＳ４で動作ボタンのプリスキャンをクリックして上述したプリスキャン動作を開始させる。プリスキャンではフィルムの順方向に搬送しながら全ての画像を低解像度で読み込む。この結果、スキャン速度を上げることが可能であり、例えば１駒分の読み込み時間を０．５秒程度に抑えることができる。ちなみに後述するメインスキャンでは、読み込み解像度が１６ベースでの読み込みでは１駒分４秒、読み込み解像度が４ベースでの読み込みでは１駒分２．５秒のスキャン時間が必要である。
【０１２１】
プリスキャンで読み込んだ画像はスキャナ制御部１１１０に送られる。この画像は、上述したスキャナ装置１のＣＣＤの構造上列単位で送られてくる。このため、スキャナ制御部１１１０では列単位のデータが揃った段階で一番上の行より順次行単位で画像入力部１１２０に出力する。即ち、画像の出力フォーマットが９０度変換された状態で出力されることになる。これは、この低解像度データが表示用に喪とおられるデータであり、表示用には行単位に出力することが最適であるためである。
【０１２２】
このデータは画像入力部１１２０を介してイメージサブシステム１１３０に送られ、入力ウインドウに順次６駒分づつ表示される。このため、操作者はこの入力ウインドウの表示結果を確認してプリスキャン結果が正しいか否かを判断する。判断の結果、プリスキャン結果が正しくない場合にはステップＳ７に進み、フイルムの境界の判断誤りであるか否かを判断する。フイルムの境界の判断誤りでない場合にはステップＳ８で再びフィルムをセットし直してステップＳ４に戻る。
【０１２３】
一方、ステップＳ７でフイルムの境界の判断誤りである場合にはステップＳ９に進み、図２２に示す位置調整ダイヤログを表示させて位置調整を行なう。本例では、一応スキャナがフィルムの撮影枠を検出しているが、フィルムに何も写っていない場合や、カメラ側でのフィルム搬送ミスがある様な場合にはフイルムの境界の判断誤りが発生することがある。このため、このような場合には図２２の画面の下部のアジャストボタンでスキャン開始位置を設定して境界線が一致するように設定する。そして、再びプリスキャンを行い、その後メインスキャンを行いステップＳ２３に進む。この間の制御は後述する正常処理を同様である。
【０１２４】
一方、ステップＳ６でプリスキャン結果が正しい場合にはステップＳ２１に進み、入力ウインドウを確認して順次処理に必要な駒を選択する。図２１で白枠で示されている駒が選択された駒である。そして、この駒の選択が終了すると動作ボタンよりメインスキャンを指示する。これによりステップＳ２２に示すメインスキャンが行われ、ドキュメントで定まる高解像度での選択画像の読み込みが行われる。なお、メインスキャン時には高解像度での読み込みであるため、プリスキャン時に比して読み込み速度は低速になるが、本例ではメインスキャン時に読み込まない駒がある場合にはフィルムの搬送速度をプリスキャン時と同様の搬送速度まで上げる。そして、次の読み込むべき駒となったときに通常のメインスキャン時の読み取り速度となるように制御している。
【０１２５】
このようにして読み込まれた高解像度データは、スキャナ装置１のＣＰＵ３２３でＪＰＥＧ圧縮されスキャナ制御部１１１０に送られる。その後画像入力部１１２０を介してイメージサブシステムに送られ、画像プール１１５０に対応する低解像度データと共に格納される。そして、低解像度データは表示部１８００の図２１に示す画像ウインドウに追加表示されていく。
【０１２６】
次に操作者はステップＳ２３で次のフイルムがあるか否かを判断し、次のフィルムがある場合にはステップＳ２４で次のフィルムを挿入してステップＳ４に戻る。
【０１２７】
一方、次のフィルムが無い場合にはステップＳ２３よりステップＳ２５に進み、画像ウインドウを再度確認して不要な駒があるか否かを判断し、不要な駒がある場合には削除し、また、パノラマ駒である場合にはその旨を設定するなどの処理を行なう。そしてステップＳ２６で最終的な確認を行い、当該スキャナによる画像入力処理を終了する。
【０１２８】
なお、本発明の実施の形態例においては、プリスキャンの終了後にメインスキャンを実行するわけであるが、メインスキャン実行前にプリスキャンの結果をふまえてスキャン条件を変更することが可能であり、例えば読み取データに対する黒レベル補正、γ補正量、マスキング量の等の各種補正が可能である。そして、この条件に従って高解像度データの入力が行われるが、先にプリスキャンデ入力した低解像度データに対してもこの条件を反映している。即ち、メインスキャンでは駒毎に選択することが可能であり、駒毎にスキャン条件を設定することが可能である。しかし、プリスキャン時にはこのような駒毎の条件設定はしておらず、この条件をスキャナ制御部１１１０を介して画像入力部１１２０に送り、画像入力部１１２０でこの処理を行なう。
【０１２９】
なお、以上の説明は１３５フィルムの読み込みを例として説明したが、他の記録媒体の場合でも上述したスキャナ操作で容易に読み込むことができる。
【０１３０】
以上説明したように本発明の実施の形態例によれば、表示用の低解像度データをプリスキャン時に高速で読み取り、印刷出力用の高解像度データをメインスキャン時に読み取るため、短時間かつ簡単な制御で複数の所望解像度のデータを得ることができる。しかも、メインスキャン時に読み込まない駒がある場合には、その駒の部分での走査速度を上げているため、高解像度データの読み込み時間も最少のものとできる。
【０１３１】
また、メインスキャン時の読み取り条件を先に読み込んだ低解像度データにも反映することができる。
【０１３２】
【他の実施形態】
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【０１３３】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１３４】
この場合、記憶媒体から読出されたプログラムコード自体が前述した実施形態の機能を実現することになり、そのプログラムコードを記憶した記憶媒体は本発明を構成することになる。
【０１３５】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１３６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１３７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１３８】
【発明の効果】
以上、説明したように本発明によれば、表示用に適した低解像度データと印刷出力用に適した高解像度データを少ない走査量で読み込むことができ高速での読み込みが可能となる。また本発明によれば、処理情報を読み取る記録媒体に限定がなく、あらゆる場合に対応することができる。
【０１３９】
【図面の簡単な説明】
【図１】は本発明に係る一発明の実施の形態例における画像処理システムのシステム構成を示す図である。
【図２】本発明の実施形態例の全体構成図である。
【図３】本発明の実施形態例のスキャナ装置の外観斜視図である。
【図４】本発明の実施形態例のスキャナ装置の使用例の外観斜視図であって、（ａ）は連続フィルムユニット１００の使用状態、（ｂ）はスライドフィルムユニット２００の使用状態を示す外観斜視図である。
【図５】本発明の実施形態例のスキャナ装置に内蔵の各読取り部の外観斜視図である。
【図６】図４の動作説明のための外観斜視図である。
【図７】本発明の実施形態例のフィルム読取り部の要部を破断して示した断面図である。
【図８】本発明の実施形態例のフィルム読取り部の要部を破断して示した断面図である。
【図９】本発明の実施形態例の連続フィルムユニット１００の正面図である。
【図１０】本発明の実施形態例の連続フィルムユニット１００の装着後の平面図である。
【図１１】本発明の実施形態例の連続フィルムユニット１００の取出し状態の平面図である。
【図１２】本発明の実施形態例のフィルム読取り部の模式図である。
【図１３】本発明の実施形態例の図１２のＡ‐Ａ矢視図である。
【図１４】本発明の実施形態例の図１２のＢ‐Ｂ矢視図である。
【図１５】本発明の実施形態例のフィルム読取り部とスライドフィルムユニット２００とともに見た背面図である。
【図１６】本発明の実施形態例のフィルム読取り部と連続フィルムユニット１００とともに見た背面図である。
【図１７】本発明の実施形態例のフィルム読取り部とフィルムＦとともに見た外観斜視図である。
【図１８】本発明の実施形態例のフィルム読取り部の動作説明図である。
【図１９】本発明の実施形態例のスキャナ装置の制御回路の構成を示すブロック図である。
【図２０】本発明の実施形態例の読み取り制御を示すフローチャートである。
【図２１】本発明の実施形態例の画像操作画面の表示例を示す図ある。
【図２２】本発明の実施形態例の位置調整画面の表示例を示す図ある。
【符号の説明】
１  スキャナ装置
２  インターフェースケーブル
６  エジェクトスイッチ
７  パワーオン表示器
８  原稿挿入排出口（反射原稿用）
１０  開口部
１１  装着部（ＡＰＳフィルム用）
１２  装着穴部
１３  右開口部
１４  左開口部
１５  表示器（ＡＰＳフィルム用）
１６  表示器（１３５フィルム用）
１７  表示器（原稿用）
１９  蓋体
２０  反射原稿読取り部（第２の搬送手段）
２１  ドライブローラ
２１ａ弾性部
２２  アイドルローラ
２３  冷陰極管
２４  反射ミラー
２５  集光レンズ
２６  ラインイメージセンサ（第２の画像読取り部）
３０  フィルム読取り部（第１の搬送手段）
３１  基部
３２  ドライブローラ
３３  アイドルローラ
３４  冷陰極管
３５  暗箱
３６  暗箱
３８  アパチャー
３９  開口部
４０  光路変換機構
４１  フィルター変換機構
４２  フィルター
４３  ウオームネジ
４４  鏡胴
４５  集光レンズ
４６  ラインイメージセンサ（第１、第３の画像読取り部）
４８  反射ミラー
５０  凹部
５１  バネ
５２  フリーローラ
５３  アイドルローラ
５５  基部
５８  レバー
５９  反射ストライプ
６０  ＡＰＳフィルム読取り部（第３の搬送手段）
６１  ダボ部材
６２  ラック
６３  ピニオン
６４  冷陰極管
６５  クラッチ
６６  巻取りスプール
６７  ピンチローラ
６８  キャプスタンローラ
７０  基部
１００  連続フィルムユニット
２００  スライドフィルムユニット
１０００  サーバ装置
２０００  ターミナル装置
４０００  テンプレート制作装置
３０００  プリンタ装置
５０００  画像入力装
１１００  画像制御部
１１５０  画像プール
１１３０  イメージサブシステム
１２００  画像処理部
１３００  テンプレート制御部
１３５０  ブックサブシステム
１４００  制御部
１５００  印刷制御部Ｋ１〜Ｋ７  センサ
ｍ１〜ｍ９  モータ
Ｐ  記録シート
ＣＦ  ＡＰＳフィルム
Ｆ  １３５フィルム
Ｇ  反射原稿
Ｌ１〜Ｌ３  光軸
【図１】
0003581516.tif 000002
【図２】
0003581516.tif 000003
【図３】
0003581516.tif 000004
【図４】
0003581516.tif 000005
【図５】
0003581516.tif 000006
【図６】
0003581516.tif 000007
【図７】
0003581516.tif 000008
【図８】
0003581516.tif 000009
【図９】
0003581516.tif 000010
【図１０】
0003581516.tif 000011
【図１１】
0003581516.tif 000012
【図１２】
0003581516.tif 000013
【図１３】
0003581516.tif 000014
【図１４】
0003581516.tif 000015
【図１５】
0003581516.tif 000016
【図１６】
0003581516.tif 000017
【図１７】
0003581516.tif 000018
【図１８】
0003581516.tif 000019
【図１９】
0003581516.tif 000020
【図２０】
0003581516.tif 000021
【図２１】
0003581516.tif 000022
【図２２】
0003581516.tif 000023